(57)【特許請求の範囲】
【請求項１】
口腔内に固定し、歯を移動させるためのワイヤよりなるエクステンションアームを接続して歯列矯正を行う歯列矯正用インプラント装置であって、
口腔内に固定される一対のアンカー部材と、
この一対のアンカー部材の間を結ぶように伸長して形成され、前記一対のアンカー部材に固定されるブリッジ部材と、
このブリッジ部材に配設され、角ワイヤを挿入可能な角柱状受部が設けられており、この角柱状受部に前記エクステンションアームの一部が挿入されて接続される接続部材と
を備え、
前記一対のアンカー部材は、ねじ山が形成された軸と、この軸の一端部に形成された頭部とを有し、この頭部には、側面と底面とが垂直の関係を有する溝が形成されており、
前記ブリッジ部材は、角ワイヤよりなり、前記一対のアンカー部材の溝にはめ合わせて前記一対のアンカー部材の間を結ぶ結合部と、この結合部の両端部に形成され、角ワイヤをリング状に曲げた環状部とを有し、
前記接続部材には、前記結合部を挿入して配設するための角柱状に形成された配設孔が設けられた
ことを特徴とする歯列矯正用インプラント装置。
【請求項２】
口腔内に固定される一対のアンカー部材と、
この一対のアンカー部材の間を結ぶように伸長して形成され、前記一対のアンカー部材に固定されるブリッジ部材と、
このブリッジ部材に配設され、角ワイヤを挿入可能な角柱状受部が設けられた接続部材と、
ワイヤよりなり、歯に対して固定して歯を移動させるアーム部と、このアーム部に配設され、角ワイヤよりなり、前記角柱状受部に挿入する挿入部とを有するエクステンションアームと
を備え、
前記一対のアンカー部材は、ねじ山が形成された軸と、この軸の一端部に形成された頭部とを有し、この頭部には、側面と底面とが垂直の関係を有する溝が形成されており、
前記ブリッジ部材は、角ワイヤよりなり、前記一対のアンカー部材の溝にはめ合わせて前記一対のアンカー部材の間を結ぶ結合部と、この結合部の両端部に形成され、角ワイヤをリング状に曲げた環状部とを有し、
前記接続部材には、前記結合部を挿入して配設するための角柱状に形成された配設孔が設けられた
ことを特徴とする歯列矯正用インプラント装置。
【請求項３】
前記一対のアンカー部材には、前記軸の前記頭部の側に、結紮線を通るための貫通孔が設けられており、
前記ブリッジ部材は、前記溝に配設され、前記貫通孔に通した結紮線により前記アンカー部材と結紮されることにより固定される
ことを特徴とする請求項１又は請求項２記載の歯列矯正用インプラント装置。
【発明の詳細な説明】
【技術分野】
【０００１】
本発明は、口腔内に固定して歯を移動させるための歯列矯正用インプラント装置に関する。
【背景技術】
【０００２】
矯正治療において固定源の確保は治療を成功に導く為の重要な要素であり、従来これを強化するために顎内固定や顎外固定など様々な装置が用いられてきた。しかしそれらの装置はその効果が患者の協力度に依存する欠点があった。そこで近年、骨を固定源（インプラントアンカー）として歯を移動させる方法が考案され、マルチブラケットシステムの一部に組み込まれる装置として急速に普及した。インプラントアンカーとしては、スクリュー型のものが安価で簡便であり、埋め込み時の外科的侵襲が非常に小さいことから広く使用されている。しかし、スクリュー型のインプラントアンカーは、埋め込み位置に制限があり、また、脱落してしまう場合があるという問題があった。特に、上顎の頬側は、隣接歯の歯根の近接、上顎洞の歯根間への張り出し、付着歯肉幅が狭いなどの理由から埋め込み位置が制限されることが多い。また、狭い歯根間の歯槽骨に埋込できたとしても、その存在が歯の移動を制限してしまう場合がある。更に、骨質が悪いと脱落率が増加してしまい、埋め込み時の歯根損傷とそれに伴うインプラントアンカーの脱落や、遊離歯肉部位への埋め込み時におこるインプラントアンカー頭部の歯肉への埋没など問題が多い。
【０００３】
そこで、近年では、スクリュー型のインプラントアンカーを骨質がよく、歯の移動に制限のない口蓋に埋め込んだ歯列矯正用インプラント装置が提案されている。例えば、特許文献１には、口蓋を横断するように配置され、口蓋の正中線に対応する箇所に貫通孔が形成され、この貫通孔には雄ねじが形成され、長手方向両端部は切断可能に構成されかつ歯を固定するためのバンドと接続可能に構成された歯科矯正用インプラントプレートが記載されている。また、特許文献２には、頭部雄ねじ部が形成された一対のスクリューを口蓋に埋め込み、複数の係合穴と上方に突出して突出雄ねじ部が形成されたベースプレートの係合穴をスクリューの頭部雄ねじ部にはめ合わせ、頭部雄ねじ部に螺合部材を螺合することにより固定し、かつ、挿通穴を有する上部構造体の挿通穴をベースプレートの突出雄ねじ部にはめ合わせ、突出雄ねじ部に螺合部材を螺合することにより固定する歯列矯正用インプラントが記載されている。
【先行技術文献】
【特許文献】
【０００４】
【特許文献１】特開２００６−３１４４１９号公報
【特許文献２】特許２００８−１８３０１６号公報
【発明の概要】
【発明が解決しようとする課題】
【０００５】
しかしながら、特許文献１に記載の歯科矯正用インプラントプレートは、雄ねじにより口蓋に直接固定するので、異なる形状のプレートに交換して矯正するような場合には、雄ねじを抜いて、再び、新しいプレートを雄ねじにより固定しなければならず、容易にプレートを変えることができないという問題があった。
【０００６】
また、特許文献２に記載の歯列矯正用インプラントによれば、スクリューを埋め込んだままで、ベースプレート及び上部構造体を交換することはできるものの、これらの部材を固定する螺合部材の大きさいは極めて小さいので、口腔内での作業が煩雑であり、しかも、交換作業の際に口腔内に落下して誤飲する恐れがあるという問題があった。
【０００７】
本発明は、このような問題に基づきなされたものであり、歯を移動させるためのワイヤを容易に着脱することができ、治療の進行状況に応じて、簡単に交換することができる歯列矯正用インプラント装置を提供することを目的とする。
【課題を解決するための手段】
【０００８】
本発明の歯列矯正用インプラント装置は、口腔内に固定し、歯を移動させるためのワイヤよりなるエクステンションアームを接続して歯列矯正を行うものであって、口腔内に固定される一対のアンカー部材と、この一対のアンカー部材の間を結ぶように伸長して形成され、一対のアンカー部材に固定されるブリッジ部材と、このブリッジ部材に配設され、角ワイヤを挿入可能な角柱状受部が設けられており、この角柱状受部に前記エクステンションアームの一部が挿入されて接続される接続部材とを備えたものである。
【０００９】
本発明の他の歯列矯正用インプラント装置は、口腔内に固定される一対のアンカー部材と、この一対のアンカー部材の間を結ぶように伸長して形成され、一対のアンカー部材に固定されるブリッジ部材と、このブリッジ部材に配設され、角ワイヤを挿入可能な角柱状受部が設けられた接続部材と、ワイヤよりなり、歯に対して固定して歯を移動させるアーム部と、このアーム部に配設され、角ワイヤよりなり、角柱状受部に挿入する挿入部とを有するエクステンションアームとを備えたものである。
【発明の効果】
【００１０】
本発明の歯列矯正用インプラント装置によれば、角ワイヤを挿入可能な角柱状受部が設けられた接続部材を備えるようにしたので、角柱状受部に、エクステンションアームの角ワイヤよりなる挿入部を挿入することにより、回転することなく安定してエクステンションアームを口腔内に固定することができる。よって、エクステンションアームを容易に着脱することができ、治療の進行状況に応じて、簡単に交換することができる。
【００１１】
また、アンカー部材の頭部に側面と底面とが垂直の関係を有する溝を形成し、ブリッジ部材に角ワイヤよりなる結合部を設けるようにすれば、結合部をアンカー部材の溝にはめ合わせることにより、ブリッジ部材を容易にアンカー部材に配設することができる。
【図面の簡単な説明】
【００１２】
【図１】本発明の一実施の形態に係る歯列矯正用インプラント装置の構成を表す図である。
【図２】図１に示したアンカー部材の構成を表すものである。
【図３】図１に示したアンカー部材にブリッジ部材を配設した状態を表すものである。
【図４】図１に示したブリッジ部材及び接続部材の構成を表すものである。
【図５】図１に示したエクステンションアームの構成を表すものである。
【図６】図１に示した歯列矯正用インプラント装置の取付工程を表すものである。
【図７】図６に続く取付工程を表すものである。
【発明を実施するための形態】
【００１３】
以下、本発明の実施の形態について、図面を参照して詳細に説明する。
【００１４】
図１は、本発明の一実施の形態に係る歯列矯正用インプラント装置１の構成を表わすものである。この歯列矯正用インプラント装置１は、口腔内、具体的には口蓋Ｍ１に固定される一対のアンカー部材１０と、この一対のアンカー部材１０の間を結ぶように伸長して形成され、一対のアンカー部材１０に固定されるブリッジ部材２０と、このブリッジ部材２０に配設され、角ワイヤを挿入可能な接続部材３０とを備えている。この歯列矯正用インプラント装置１は、また、ワイヤよりなり、一部を接続部材３０に挿入して接続し、他の一部を歯Ｍ２に対して固定して、歯Ｍ２を移動させるエクステンションアーム４０を備えていてもよい。
【００１５】
図２は、アンカー部材１０の構成を表すものであり、（Ａ）は横から見た構成を表し、（Ｂ）は上から見た構成を表している。一対のアンカー部材１０は、例えば、チタニウム合金により構成されており、ねじ山が形成された軸１１と、この軸１１の一端部に形成された頭部１２とを有している。頭部１２の軸１１と反対側には、直線状の溝１３が形成されている。溝１３は、アンカー部材１０を口蓋Ｍ１に埋め込む際に、ドライバなどの道具を挿入して回転させるために用いられると共に、アンカー部材１０を口蓋Ｍ１に埋め込んだ後に、ブリッジ部材２０を配設するために用いられるものである。溝１３は、頭部１２の周縁部から中央部を通り対向する周縁部まで上部全面にわたって形成されていることが好ましい。ブリッジ部材２０を配設するためである。
【００１６】
溝１３は、例えば、一対の側面１３Ａとその間の底面１３Ｂとを有しており、一対の側面１３Ａと底面１３Ｂとが垂直の関係、すなわち直角に交わる関係を有するように構成されていることが好ましい。例えば、溝１３の伸長方向に対して垂直な面における断面形状は長方形となるように構成されていることが好ましい。なお、長方形には正方形を含む。溝１３は、例えば、１条であってもよいが、頭部１２の中央部において直交するように２条形成されていることが好ましい。ブリッジ部材２０を配設するために一対のアンカー部材１０の溝１３が同一直線上に位置するように調節しやすいからである。
【００１７】
図３は、アンカー部材１０にブリッジ部材２０を配設した状態を表すものであり、（Ａ）は横から見た断面構成を表し、（Ｂ）は上から見た構成を表している。アンカー部材１０には、軸１１の頭部１２の側に、結紮線１４を通すための貫通孔１５が設けられていることが好ましい。溝１３にブリッジ部材２０を配設したのち、貫通孔１５に通した結紮線１４でアンカー部材１０とブリッジ部材２０とを結紮することにより、容易にブリッジ部材２０を固定することができるからである。貫通孔１５は、例えば、軸１１を幅方向に貫通するように設けられている。なお、結紮線１４は、図１においては省略している。
【００１８】
図４は、ブリッジ部材２０及び接続部材３０の構成を表すものであり、（Ａ）は上から見た構成を表し、（Ｂ）は（Ａ）に示したＩ−Ｉ線に沿った断面構成を表すものである。ブリッジ部材２０は、例えば、一対のアンカー部材１０の溝１３にはめ合わせて一対のアンカー部材１０の間を結ぶ結合部２１を有している。結合部２１は、例えば、溝１３に適合する角ワイヤにより構成されることが好ましい。また、結合部２１は、例えば、貫通孔１５に通した結紮線１４によりアンカー部材１０に固定され、更に、補強として図示しない接合剤によりアンカー部材１０に固定されることが好ましい。接合剤としては、例えば、光硬化樹脂などのプラスチックが好ましく挙げられる。結合部２１の両端部には、例えば、角ワイヤをリング状に曲げた環状部２２が形成されている。環状部２２は、エラスティックや結紮線などの矯正装置を固定するために有利な構造であると当時に、口腔内での異害性を低くするためのものある。ブリッジ部材２０は、例えば、ステンレススチール製の角ワイヤにより構成されることが好ましい。
【００１９】
接続部材３０は、例えば、ステンレススチールよりなり、角ワイヤを挿入可能な角柱状の角柱状受部３１が設けられている。エクステンションアーム４０を角柱状受部３１に挿入した際に回転せず安定させることができるからである。また、接続部材３０には、例えば、ブリッジ部材２０の結合部２１を挿入して配設するための配設孔３２が設けられている。配設孔３２は、例えば、角ワイヤよりなる結合部２１に対応した角柱状に形成されていることが好ましい。角柱状受部３１及び配設孔３２は、例えば、接続部材３０の伸長方向に伸長してそれぞれ設けられている。接続部材３０の伸長方向に対して垂直な面における断面形状は、例えば長方形である。接続部材３０は、例えば、一対のアンカー部材１０の間に配置され、その長さは、エクステンションアーム４０を安定させるために、３ｍｍから５ｍｍの範囲内であることが好ましい。接続部材３０は、例えば、配設孔３２にブリッジ部材２０の結合部２１を挿入してかしめることにより結合部２１に固定されている。
【００２０】
図５はエクステンションアーム４０の構成を表すものであり、（Ａ）は全体構成を表し、（Ｂ）はエクステンションアーム４０と接続部材３０との接続部分を拡大して表している。エクステンションアーム４０は、例えば、歯に対して固定して歯を移動させるアーム部４１と、このアーム部４１に配設され、角柱状受部３１に挿入する挿入部４２とを有している。アーム部４１は、ステンレススチール製あるいはコバルトクロム製の丸ワイヤにより構成されることが好ましい。丸ワイヤは角ワイヤより自由に屈曲でき形態賦形が容易だからである。挿入部４２は、ステンレススチール製の角ワイヤにより構成されることが好ましい。挿入部４２は、例えば、アーム部４１が図５に示したような左右に伸びる形状の場合には、ろう着などによりアーム部４１に接合されている。アーム部４１は、どのような形状でもよく、治療内容に応じて決定される。例えば、アーム部４１が一本だけで良い場合には、アーム部４１と挿入部４２とを角ワイヤにより連続して形成してもよい。なお、エクステンションアーム４０は、治療内容に応じて、歯科医師などが作成してもよい。エクステンションアーム４０は、例えば、挿入部４２を接続部材３０の角柱状受部３１に挿入したのち、ブリッジ部材２０に対して結紮線４３で固定される。なお、結紮線４３は、図１においては省略している。
【００２１】
この歯列矯正用インプラント装置１は、例えば、次のようにして用いられる。まず、例えば、図６に示したように、歯列矯正を行う患者の口蓋Ｍ１に一対のアンカー部材１０を埋め込む。具体的には、例えば、ドライバなどの道具を溝１３に挿入して、アンカー部材１０を回転させることにより埋め込む。その際、最終的に、一対のアンカー部材１０の溝１３が同一直線上に位置するように調節することが好ましい。なお、一対のアンカー部材１０の溝１３が同一直線上からずれていても、後述する手順において対応することは可能である。
【００２２】
次いで、例えば、図７に示したように、接続部材３０が配設されたブリッジ部材２０を用意し、一対のアンカー部材１０に固定する。具体的には、例えば、一対のアンカー部材１０の溝１３に、ブリッジ部材２０の結合部２１をはめ合わせ、結紮線１４により固定する。なお、一対のアンカー部材１０の溝１３が同一直線上からずれている場合には、ブリッジ部材２０の結合部２１を屈曲させて溝１３にはめ合わせることができる。続いて、例えば、図１に示したように、エックステンションアーム４０を用意し、図５（Ｂ）で示したように挿入部４２を接続部材３０の角柱状受部３１に挿入して接続したのち、結紮線４３で固定する。また、エクステンションアーム４０のアーム部４１は、移動させる歯Ｍ２に固定する。これにより、歯列矯正が行われる。
【００２３】
なお、治療の進行状況に応じて、エクステンションアーム４０の形状を変更する必要がある場合には、エクステンションアーム４０を交換する。すなわち、接続部材３０に挿入されているエクステンションアーム４０を取り外し、新しいエクステンションアーム４０を接続部材３０に挿入する。また、エクステンションアーム４０のアーム部４１は、治療内容に応じて、任意のワイヤにより作成する。
【００２４】
このように本実施の形態によれば、角ワイヤを挿入可能な角柱状受部３１が設けられた接続部材３０を備えるようにしたので、角柱状受部３１に、エクステンションアーム４０の角ワイヤよりなる挿入部４２を挿入することにより、回転することなく安定してエクステンションアーム４０を口蓋Ｍ１に固定することができる。よって、エクステンションアーム４０を容易に着脱することができ、治療の進行状況に応じて、簡単に交換することができる。また、エクステンションアーム４０をワイヤにより形成することができるので、患者に合わせて簡単に加工することができ、かつ、価格を安価とすることができる。
【００２５】
また、アンカー部材１０の頭部１２に側面１３Ａと底面１３Ｂとが垂直の関係を有する溝１３を形成し、ブリッジ部材２０に角ワイヤよりなる結合部２１を設けるようにすれば、結合部２１をアンカー部材１０の溝１３にはめ合わせることにより、ブリッジ部材２０を容易にアンカー部材１０に容易にかつ安定的に配設することができる。
【００２６】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。また、各構成要素は、他の構成を備えていてもよい。また、アンカー部材１０を固定する部位も、口蓋Ｍ１に限定されるものではなく、口腔内において付着歯肉が存在し歯の移動に支障がない部位、例えば、無歯顎部歯槽頂にも固定可能である。
【産業上の利用可能性】
【００２７】
歯列矯正に用いることができる。
【符号の説明】
【００２８】
１…歯列矯正用インプラント装置、１０…アンカー部材、１１…軸、１２…頭部、１３…溝、１３Ａ…側面、１３Ｂ…底面、１４…結紮線、１５…貫通孔、２０…ブリッジ部材、２１…結合部、２２…環状部、３０…接続部材、３１…角柱状受部、３２…配設孔、４０…エクステンションアーム、４１…アーム部、４２…挿入部、４３…結紮線
【要約】
【課題】歯を移動させるためのワイヤを容易に着脱することができ、治療の進行状況に応じて、簡単に交換することができる歯列矯正用インプラント装置を提供する。
【解決手段】口蓋Ｍ１に固定される一対のアンカー部材１０と、一対のアンカー部材１０の間を結ぶように伸長して形成され、一対のアンカー部材１０に固定されるブリッジ部材２０と、ブリッジ部材２０に配設され、角ワイヤを挿入可能な角柱状受部３１が設けられた接続部材３０と、歯に対して固定して歯を移動させるアーム部４１、及び、このアーム部４１に配設され、角ワイヤよりなり、角柱状受部３１に挿入する挿入部４２を有するエクステンションアーム４０とを備える。
【選択図】図１【図１】
0005728610.tif 000002
【図２】
0005728610.tif 000003
【図３】
0005728610.tif 000004
【図４】
0005728610.tif 000005
【図５】
0005728610.tif 000006
【図６】
0005728610.tif 000007
【図７】
0005728610.tif 000008